(57)【要約】【課題】  ブラシをＵ字型にした洗浄具は内側に芯が必要なので、作成に手間がかかり、その分コストがかかる。【解決手段】  樹脂又は金属製の平板がＵ字型に折り曲げられたフレーム１と、フレーム１の対向する二つの押さえ部１１、１２のそれぞれの内側面に固着された各マジックテープ（登録商標）３、３と、各マジックテープ３、３に貼り付けられ、互いに対向して接触あるいは近接している二つのスポンジ２、４とを備え、フレーム１は、押さえ部１１、１２に外部から力がわることで内側に弾力的に変形可能であることを特徴とする洗浄具。【選択図】図１
2012187372.tif 000002
【特許請求の範囲】
【請求項１】
樹脂又は金属製の平板がＵ字型に折り曲げられたフレームと、
前記フレームの、対向する二つの押さえ部のそれぞれの内側面に固着された各マジックテープ（登録商標）とを備え、
前記フレームは、前記押さえ部に外部から力が加わることで内側に弾力的に変形可能であることを特徴とする洗浄具。
【請求項２】
前記各マジックテープに貼り付けられ、互いに対向して、接触あるいは近接している二つのスポンジをさらに備えたことを特徴とする、請求項１記載の洗浄具。
【請求項３】
前記フレームは、前記Ｕ字型の底部において、塑性を有し、種々の形状を実現できる、請求項１又は２記載の洗浄具。
【発明の詳細な説明】
【技術分野】
【０００１】  本発明は、キッチンのコップ、皿などの、洗浄具に関する。
【背景技術】
【０００２】  従来、各種食器等の容器の洗浄や、コップ洗いの両方に用いることができるスポンジたわしが知られている。すなわち、スポンジ製のたわし本体にコップの筒状部が差し込み可能のコップ洗い用の切り込みを備える構成を有し、たわし本体には、切り込みを挟むように配置されるＵ字状の補強部材が設けられている（登録実用新案第３０７２３９７号文献参照）。
【発明の概要】
【発明が解決しようとする課題】
【０００３】    上述のように、台所の、皿、コップを効率良く洗浄する方法の１つ形態として、スポンジやブラシをＵ字型の形状にしたものがあげられる。中心部にＵ字形の芯があり、その周囲をスポンジで覆うか、ブラシになっていて、Ｕ字形状の真ん中のスリットにコップの側面、あるいは皿の洗浄部分を挟み込んで使用する。表面、裏面、を同時に洗え、箸も洗うのにも便利である。【０００４】    しかし、スポンジ、ブラシの内側に芯が必要なので、作成に手間がかかり、その分コストがかかり、又、スポンジやブラシ部分が古くなると、それで使用出来なくなってしまい、シャフト部分が無駄になっていた。【０００５】    本発明は、このような従来公知の洗浄具の課題を考慮し、作成に手間がかからず、その分コストが安く、又、スポンジが古くなると、交換出来るので、フレームの部分が無駄にならない長所を有する洗浄具を提供することを目的とする。
【課題を解決するための手段】
【０００６】    第１の本発明は、樹脂又は金属製の平板がＵ字型に折り曲げられたフレームと、
前記フレームの、対向する二つの押さえ部のそれぞれの内側面に固着された各マジックテープ（登録商標。以下省略）とを備え、
前記フレームは、前記押さえ部に外部から力が加わることで内側に弾力的に変形可能であることを特徴とする洗浄具である。【０００７】    第２の本発明は、前記各マジックテープに貼り付けられ、互いに対向して、接触あるいは近接している二つのスポンジをさらに備えたことを特徴とする、第１の本発明の洗浄具である。【０００８】    第３の本発明は、前記フレームは、前記Ｕ字型の底部において、塑性を有し、種々の形状を実現できる、第１又は２の本発明の洗浄具。【０００９】    より詳しくは、本発明は、例えば、板状の金属あるいはプラスチックを、２つの端部の間隔を広めにしたＵ字型の形状にし、そのＵ字の間隔内の内側側面にマジックテープを貼り付け、そのマジックテープ面に市販のスポンジをＵ字のそれぞれの面に貼り付ける。【００１０】    市販のスポンジは、表面に糸状のケバ立ちがあるので、マジックテープにしっかりと貼りつく。Ｕ字部の２つの端部の間隔を調整することにより、２つのスポンジ面が、ぴったりと隙間の無い状態に出来る。【００１１】    金属あるいはプラスチックで出来たＵ字部は、両側から指で押すと狭まり、力を緩めると元に戻る弾力性があり、又、棒状の芯だと狭い範囲にしか力がかけられないが、平板状の素材をＵ字形状しているので、平面を利用して力を洗浄物に平均的に掛けることが出来る。【００１２】    金属フレームの場合はその形状も塑性変形可能な固さにして、皿やコップの形状に合わせて変更可能にできる。【００１３】    フレームを上述した形状にし、そのＵ字の隙間にコップの側面あるいは皿の平面を挟むことにより、コップ、皿の表面裏面を同時に洗浄出来きる。又、フレームの形状をコップの側面、皿の平面に合わせて変更すれば、Ｕ字部に圧力をかければ洗浄面に圧力を掛けて洗浄することが出来る。【００１４】    又、スポンジが古くなった場合は、スポンジを変更すれば良く、シャフトを無駄にせず、それだけ安価に制作できる。
【発明の効果】
【００１５】    本発明の洗浄具は、作成に手間がかからず、その分コストが安く、又、スポンジが古くなると、交換出来るので、フレームの部分が無駄にならない長所を有する。
【図面の簡単な説明】
【００１６】
【図１】本発明の洗浄具の実施の形態を示し、（ａ）は平面図、（ｂ）は正面図、（ｃ）は底面図、（ｄ）は右側面図。
【図２】本発明の洗浄具の実施の形態の斜視図。
【図３】本発明の洗浄具のフレームとマジックテープを示す図であって、（ａ）は平面図、（ｂ）は正面図、（ｃ）は底面図、そして（ｄ）は右側面図。
【図４】本発明の洗浄具を用いて、ガラスコップを洗浄する様子を示す図。
【図５】本発明の洗浄具を用いて、ガラスコップを洗浄する様子を示す図。
【図６】本発明の洗浄具の変形例を示す図。
【図７】図６の洗浄具を用いて、ガラスコップを洗浄する様子を示す図。
【図８】本発明の洗浄具の他の変形例を示す図。
【発明を実施するための形態】
【００１７】    図１は、本発明の洗浄具を示す図であって、（ａ）は平面図、（ｂ）は正面図、（ｃ）は底面図、そして、（ｄ）は右側面図である。図２は、本発明の洗浄具の斜視図である。図３はフレームとマジックテープを示し、（ａ）は平面図、（ｂ）は正面図、（ｃ）は底面図、そして（ｄ）は右側面図である。
【００１８】    ここで、フレーム１は、金属製あるいは樹脂製の帯状平板をＵ字型に折り曲げて形成している部材である。
【００１９】    そのＵ字型の底部１０から左右に伸びる２つの両端部はそれぞれ押さえ部１１と押さえ部１２を構成している。この押さえ部１１、１２は指で外側から力を加えると弾力的に変形できる。さらに、底部１０は塑性も有し、強い力を加えることによって、より開いた状態や、より閉じた状態の形状に変形させるなど、自由に形状を変えることも可能である。
【００２０】    その２つの押さえ部１１、１２の内側面には、それぞれマジックテープ３、３が接着剤で固着している。さらに、底部１０の外側面にも、マジックテープ３が接着剤で固着している。
【００２１】    さらに、押さえ部１１、１２の内側のそれぞれのマジックテープ３、３にはそれぞれスポンジ２、４が連結している。市販のスポンジ２、４の一面には毛羽だった繊維面部２１、２１があり、その繊維面部２１、２１がマジックテープ３に脱着可能に連結出来る。
【００２２】    これら２つのスポンジ２、４の内側の面は互いに密着あるいは密接あるいは近接状態になっている。また、密着するように、フレーム１に力を加えて、より閉じるように塑性変形させてもよい。
【００２３】    このスポンジ２、４の対向する面同士の間に、スポンジ間スリット５が形成され、このスポンジ間スリット５の間に、洗浄しようとするコップの側壁が差し込まれる。
【００２４】    次に、本発明の洗浄具を用いてコップを洗う方法を説明する。
【００２５】    図４に示すように、ガラスコップ７の側壁をスポンジ間スリット５へ滑り込ませる。一方のスポンジ２のスポンジ面部２２はガラスコップ７の内側側面７１に当接し、他方のスポンジ４のスポンジ面部２２はガラスコップ７の外側側面７２に当接する。
【００２６】    そこで、図５に示すように、フレーム１の押さえ部１１、１２を指で押すと、スポンジ２、４が収縮しつつ、Ｍで示す部分に力が加わるので、上下に移動させて洗浄することが出来る。なお、スポンジ２、４が密に収縮しているのでＭで示す部分は結構広い範囲である。また、フレーム１の押さえ部１１、１２は押さえたままで、ガラスコップ７や皿の方を動かして洗うことも勿論可能で在る。
【００２７】    また、スポンジ先端面６を用いて、皿などの平面部分を洗うことも可能で在る。
【００２８】    さらに、図６に示すように、フレーム１の底部１０に、折れ部Ｎを設けておいてもよい。この場合は、押さえ部１１、１２は通常開き気味となっている。このようなフレーム１をＰやＱの点に力を加えることによって、図７に示すように、ガラスコップ７の側壁に、スポンジ２、４の対向面を広範囲に亘って密着させることが可能となり、より均一に力を加えることが出来、一層洗浄力が増す。
【００２９】    図８は別の変形例であって、折れ部Ｎを鋭角に塑性変形することで、手の小さな人にとって扱い安くできる例である。
【００３０】    なお、フレーム１の底部１０の外側に設けられたマジックテープ３は、この洗浄具を台所の壁に固定する場合などに使うことが出来る。
【００３１】    また、スポンジ２、４が古くなった場合は、マジックテープから外して、新しいスポンジと交換出来るので、エコにもなる。
【００３２】    なおまた、本発明はスポンジを除く、フレームとマジックテープでもあり得る。
【産業上の利用可能性】
【００３３】    本発明の洗浄具は、Ｕ字型のフレームに、キッチン洗浄用スポンジを向かい合わせにセットすることにより、その隙間にコップの側面、皿の表面を挟んで洗浄することが出来、しかも表面，裏面を同時に洗浄出来る。【００３４】    フレームはＵ字型で弾力性のあるものにしたので、外側からフレームに力を加えて、スポンジ、即ち洗浄面に力を加えることが出来る。又、そのフレーム自体の形状も変えることができ、洗浄面にあった形状に変更可能で、より洗浄がし易い。【００３５】    又、スポンジの固定は、マジックテープによる固定方式であるので、スポンジが古くなったら、スポンジだけを交換すればよく、フレームを無駄にすることが無い。また、フレーム自体も単純な構造、少量の素材ですので、エコであり、安価に利用できる。
【符号の説明】
【００３６】    １  フレーム
２、４  スポンジ
３  マジックテープ
５  スポンジ間スリット
６  スポンジ先端面
７  ガラスコップ
１０  底部
１１、１２  押さえ部
Ｎ  折れ部
Ｐ、Ｑ  力を加える場所
【図１】
2012187372.tif 000003
【図２】
2012187372.tif 000004
【図３】
2012187372.tif 000005
【図４】
2012187372.tif 000006
【図５】
2012187372.tif 000007
【図６】
2012187372.tif 000008
【図７】
2012187372.tif 000009
【図８】
2012187372.tif 000010